(57)【要約】      （修正有）【課題】歯や、歯茎の間につまった物を、すぐに取り除ける歯磨き具材を提供する。【解決手段】歯ブラシ１のネック２の部分は、放物線形状に作り、放物線形状のブラシの低部に糸３を付け、揚子を形成している。歯ブラシの弓柄の部分２を歯で押し付けると、弦揚子の弦の部分６は、歯と歯の間に入り込み、歯垢を取り、之を掃除してくれるものとなるものである。【選択図】図１
2010279563.tif 000002
【特許請求の範囲】
【請求項１】
棒の先に毛ブラシを束ね、簓にし、反対側に耳掻き機能を付けたステック、簓（Ｔ．１７７）を発明する請求。
【請求項２】
歯ブラシのネック部位を弓成りにし、底部に弦を張り、この弦を歯間の歯垢取り具に為し、歯ブラシと一体型になる、底部、弦簓（Ｔ．１８５）を呼称する、歯垢取り具を発明する請求。
【請求項３】
歯ブラシの頭部をして、現在市場で市販されているに見られる、普通の歯ブラシの背側にも、背丈を低くする事を理想とする、蓑簓ブラシ（Ｔ．１７９）を発明し、歯磨きをする際、ホッペタの内側をも掃除できる物とし、
【請求項４】
歯ブラシの尻部をして、その末端部位に、目処簓（Ｔ．１７６）を呼称し、歯ブラシの先端部には、簓（Ｔ．１７８）を命名する突き刺し型、歯垢取り、ブラシを取り付ける発明をする請求。
【請求項５】
空調付一個小屋（部室）が発明される（Ｔ．６６３）この中で、病人をする、人動物等を就褥させ、本発明される、クルプ（Ｔ．１８７）トリクルプ（Ｔ．１８８）に生じる温風を投与した場合、虫歯、骨粗症侵行を阻止し、感冒、肺炎迄一気に治癒させる威力物品となる発明請求。
【請求項６】
本発見される、「絶対温度理論」に基づく、人動物等が用いる水供給源（貯水タンク）等をして、この水を３６．７〜４２℃に保った時、人動物体が使用して害となる徴生物が発生しない原理の元、貯水（器）槽（Ｔ．１８９）が発明される請求。
【発明の詳細な説明】
2010279563.tif 000003
【技術分野】
【０００１】  本論文内で発見、発明される、「絶対温度指数」によって、空調（最低３６．５℃以上に体温を保たたせる）を（センサー）完備する、小屋を作った場合、体温の恒温性を安定させる事が出来た際大概の感冒他、黴菌等を自然治癒させてゆく事が出来る他、【０００２】  この温度（３６．７°〜４２℃）を安定維持させる事の出来る、温湯設備器機製作した場合、時間が経つにつれて、善玉菌を多く発生させ、手洗、歯磨、洗顔、入浴等に用いた場合、身体に付く悪玉菌を瞬時に退治させる効果が生じ、膚細胞を若返えらせる他、病院内の洗濯、洗浄水にも用いる事が出来、水道水にカルキ等を用いなくても良くなり、日々、人々はオイシイ水を飲める技術力が生じたが、（実質実験では、６５℃で実施）【０００３】  本発明される、今迄に無かった歯ブラシ、歯垢取り具が創作される、人の病気等を作る原因、人の口内には、年を重ねる如に、あらゆる黴菌、抱子を保菌する、多くなり、之が食べ物に混って、人体に入り込み、大概、消化器系疾患を（本文では、リルク菌）起こすものと考える時、本発明歯ブラシ、歯垢取り具は、完壁な迄にも、之を取り除く事の出来る技術力があった。――しかし併、江戸時代以前に始まる、２センチュリーファンデーションに【０００４】  あった妻揚子技術力も、今発明される筆者の発明品メド（Ｔ．１７６）によって、終わりとなった。（読者は御存知無い事であったが、本当の）発明の条件とは、新発明により、従来の発明品は、消滅する程の威力がある物であり、―日本の江戸、明治、大正時代をして、その初期迄、一般庶民は、今尚、現世に残る、抹茶を掻き混ぜる、あのササラを小さくした物で、塩を口に含み、歯を磨いていたものであり、西洋から、現在の歯ブラシが輸入されると、ササラ歯磨は、地上から消えた。【０００５】  所が、この、ササラにも、利点があり、今発明品に見る、固いブラシを、ササラに見たて、歯ブラシに付けた場合、（Ｔ．１７６、Ｔ．１７８）大概の歯磨き中、歯の間に突き刺して入り込ませる事が出来、人体に有害となる、細菌、歯垢を容易に取り除く事が出来る様になる技術力迄は未だ盗まれずに済み、妻揚子（Ｔ．１７７）にも使用してみると、ササラ効果の出る技術力があった。
【背景技術】
【０００６】●揚子付マッチ（Ｔ．１１０）●カルラーコクーン（Ｔ．５８０）●ハクマ（Ｔ．６６６）●キャッツ（Ｔ．４９０）●カンパ（Ｔ．７７５）●盗コン、（Ｔ．１７０）●ワンルームベッド２（Ｔ．６６３）●マコ時計（Ｔ．５４０）●マングース（Ｔ．４５０）
【発明の開示】
【発明が解決しようとする課題】
【０００７】  コドモの頃から甘い物を好まぬ反面、煮干が好きで、ポケットの中に、いつもこれを入れ、時折り、ポリポリ齧って遊んでいた事が思い出され、頭は、猫にやっていた。――猫は、人の心の中に、グイグイと入り込んでくるのが分った。（Ｔ５８０、カルラーコクーン）【０００８】  そのせいか、筆者の歯は、真珠色に輝き、一本の虫歯も無い事が自慢であったが、思う所あって、日本の真言密教（仏教）に憧れ、本を読み、悟り得ようと思い、粗食、空手に勤しみ、禅を行う時期があり、自給自足を心がけ、（山に籠もり）一日３００円の生活をしだし、本を多く読み、論文を書いていた。――高価な煮干は、遂に買えなくなっていた。【０００９】  極貧生活は、全っく、気にはならなくなっては、いたが、筆者は、大概の人々に、ヒッピーに見られ始めていた。――たまたま、そんなある日、茹で卵と、メザシをもらい、それを喰った時の、あまりのウマさに驚き、貧り付いた。禅修業の厳しさが分った。【００１０】  日本の昔の奇談で、修業僧が、日々の乏じさに耐えかね、夜な、夜な、墓を暴いて、人骨を齧っている話しの意味が分った様な気がした。――しかし併、【００１１】  筆者にとって、論文を書きながら、禅修業が出来るものではない事を悟ったのは、脳が多くの栄養分を欲求している事を知り、空腹には作用されてはいけないものとなった。【００１２】  弾修業と論文書きは、両立しない事が分ったのは、筆者の歯が四本、苦痛も意図も簡単に折れてしまっていた。――何故だろうと更に考えた時、課題が与えられた。
【発明を解決する手段】
【００１３】  日本国民人口の大体６割が、何んらかの歯（歯茎）の病気にかかっていた。自然科学医科学（歯科、鼻耳科）人類学等他見地（総体論理）から考えていた。
【００１４】  コドモの頃、春先、雪の上に、中国から飛来する黄砂パウダーで、之が黄色になっているのを見た事があった。そして、日本の○○博士が発見した、杉花粉をして、この期節、人動物の恒設体温が、上下に激しく変動する際、敏感な鼻（解賠学）では、両鼻腔は、片方づつ交互に呼吸する、体温を高くして、抗体液を多く含む、鼻水、粘液等で、黄砂、埃、花粉、細菌等が、体内に入らない様に努力する時、夏秋にも同じ事が言へ、耳汁を出す者もあって、須く、埃のひどい時には、口呼吸し、蓄濃症者も比例して、その地方地方には多かった。しかし併、筆者を人体実験に使う、（Ｔ．６６６、ハクマ参照）
【００１５】  歯痛（苦痛）もなく、いつの間にか、歯が折れて無くなっている、「歯折れ症」現象が、歯科医学会が知らぬ内に、人類の間に増え続けている、原因を細菌、徴生物（学）に求め続ける、現代医学が、口内雑菌を歯周病菌として片付け、この徴生物を発見出来ないでいる際、筆者等、新代医科細菌学班は、之を、「リルク」と命名し、特定する者は、最近、細菌学会で公表された、○○○菌であった。この菌の特性は、強酸（胃酸）に強く、
【００１６】  根元を辿った先に、日本の海産物、干物（スルメ）等の中にいて、昆虫（蠅）で媒介する、やはり、絶対指数温度に弱く、死滅するものの、人動物体の口内、歯（歯茎）等に付着し、人動物体内に備っている、体温を急激に落としている（口呼吸している）時間帯に急速に増殖し続ける、唾液と共に飲み込む、（体温の低い）虚弱体質者の胃にも滞留し易く、これが、人動物の消化器官において、之に傷を付け、酸性毒素を吐き続けた場合、癌症さへ、発生し易い物になった。と、言う報告があった。（Ｔ．４９０、キャッツ参照）（リルクは人名）
【００１７】  それ故、人動物等は、その体温に備わった（以上の）恒設体温を下降させなければ、動（生）物体に集る、有害徴生物の、孵化、発症は有り得ない物となった。
【発明の効果】
【００１８】  病気になった人動物（患）者を診る際、大概、虚弱（衰弱）する、恒体温を下降させるものになっている際、患者は、通常、体温を落とさぬ様に布団に包まって大人しく寝ていなければならず、この時、１０〜１５分間でも体温を下げてはならず、恒設絶対指数温度を完全に近い状態で持続維持させる事の出来る器、具類を作り、発明すれば、本発明図中に見られる物品で、人動物体内に発生し、大概の徴生物を退治できるものと考えた。
【発明を実施する最良の形態】
【００１９】  筆者の身長は、学生時代には、１７５ｃｍあったのに、現在、１７３ｃｍになり、縮んでいた。そんな、バカな！と、思って見ても、縮んでいるものは縮んでいた。――修学時代に仏教、禅修業に狂ったのが良く無かった。（禅修業が悪い訳では無かった。）シャカ、ムニ、仏様も、禅修業により、悟りを開かれ、それ以前には存在しない、仏教を創設される事、お釈迦様は、ヨガ修業者であった。と、聞いていた。――何故縮んだのだろう？
【００２０】  それは、筆者の躰から、ドンドンと、カルシウムが抜け出して行ったからに相異なく、この頃から急速に短気となり、骨に鬆が入いり、抜け毛、骨折も多く、虫歯が出来始めた。故、
筆者は、体力を使い果す、夕刻、夜間等の残業をする時間帯に背筋に、多くのポケット（Ｔ．６１０）を作っておき、使い捨てカイロ（Ｔ．６６０）を常設する儘に、必要時に、中身を出して使い、就寝時には、決っして、体温を、３６．５℃以下に落とす事の無い、空調設備の付いた、ワンルームベッド３（Ｔ．６６３）小屋部室の温度計を１６．５〜１７．５℃（季節によって異る。）に設定して、本発明、歯ブラシを用い、歯磨きをよくし、寝むった所、骨密度は濃密になり始め、虫歯の侵行もなくなるものとなった。又、水道水等も、一度、１００℃に、
【産業上の利用の可能性】
【００２１】  加熱する、絶対温湯指数、４２℃〜３７．５℃迄に温度を落とし、常設温湯を用い、幾日も、この様にして、貯めた温湯は、銘湯○津温泉の霊泉に匹敵する程、（人動物の持つ）共存性（善玉）菌を発生させる為、歯磨きに使えば、歯を強くし、洗顔に使えば、顔に集る悪玉菌を退治し、洗髪に使えば、頭皮に集る悪玉菌等を退治する儘、（細菌でダメになった、古い核質層細胞を取り除き、）細胞を活性化させ、膚細胞を、若返えらせてゆくものになった。（実証実験は、動物体に出来る、オデキ、瘡蓋は、歯間に生じる歯垢に同じく、主に細菌類の胞子の貯り場となっている物であり、悪玉菌でネバネバして、発生する（唾液等で固められた）瘡蓋等は冷水では無く、本論文が指摘する、絶対温度指数（３６．５℃〜３７．５℃）の徴温を掛け、洗浄した場合、この世の大概の銘薬にも勝る勢いで、そこに発生する、人動物体に有害となる悪玉菌を一瞬にして、抹殺してしまう威力のある物である事を、現代医科学はこの事実を把握し切れていない嫌いがある中、之を産業界が理解した場合、（医科学）産業の可能性は、極めて大きい事が想定された。（お湯で洗顔するとサッパリする。）
【図面の簡単な説明】
【００２２】  しかし併、呼吸器系疾患に付いても、同じ事が言へ、人動物等が、細菌性の感冒、若しくは、悪性の（鳥）インフルエンザに感染したとしても、本発明される中、――病院の、どこにでもある、呼吸注入用マスク（Ｔ．１８７、キルプ）を患者の鼻口に当てがい、空調する、体温が、３６．５℃（３７℃が理想）以下を落とさない温風を、患者に投与した場合、人動物の器官枝から、肺の奥底（肺炎時）に至る迄に集る黴菌を一瞬にして、（抱子、卵を残す）壊滅させ、之等を治癒させてしまう威力のある事を図に示し（Ｔ．１８８、鳥キルプに同じ）たが、【００２３】  悪性インフルエンザ等には、疾患重度指数、レベル１〜６迄、あり、本発明品の投与効果は、狂牛病（ＢＳＣ）疾患者に迄、治癒した。と言う報告もある中、之等の黴菌が出す、毒素は、絶対指数温度熱では、当分、暫くの間、解毒せず、この際、重度、中毒患者には、筆者が別に発明する毒素中和済（Ｔ．４５０マングース、他、Ｔ．４９０、キャッツ参照）をする解毒済が必要となり、解毒が効いて、破壊された細胞が改腹する迄の間は、その後も、キルプ（Ｔ．１８７）による温風療法は、効果の出すものの、前記述、示される、筆者が発明する、空調設備のあるワンルームベッドＩ  ＩＩ（Ｔ．６６３、Ｔ．１８６）の空調をよくし、この患者を隔離し、定期的にキルプ温風を投与した場合、レベル６患者も完全治癒する物となった。
【符号の説明】
【００２４】１、歯ブラシの全体図を示しており、２、ネックの部分には、放物線形状に作り、３、放物線形状ブラシの低部に糸を付け、弦、を形成している事を示した図であったが、（＊注意、そもそも、この「弦揚子」の発想、発明は、筆者が考案した物（Ｔ．１１０）であったが、日本国、自民党（各党）が為し、犯罪組織化した、司法、最高裁犯罪機関が、連動し、国民、一億人の各家庭、事務所に盗聴、盗撮器を仕掛け、その内情を密かに覗き見をする事を、マスコミ（宣伝部）と更に共謀し、共提を不当に提携し、善良なる、日本国民を騙す目的を以って、国是と成し、強制実行する中で、筆者の、之等の発明、発案品は、マスコミ内外に不当に、盗まれて、市場に類似品として、多く出回っている物になっていたが、未熟であり、（揚子は使用していると簓になってゆく）筆者が主張する本文内容と図等は、未だ盗難に遭っていない筈の為、本公回物件とは、全っく別形態で、制作され続ける物ばかりであったので、便利に欠け、使いづらい物ばかりとなる為、すぐにＹバリュー化（低価格でないと売れない物、内需拡大政策ですぐにゴミになる物）し、人々に相手にされない物となった。（Ｔ．１７０、Ｔ．５４０参照）しかし併、筆者の考えていた本図に見られる物は、歯ブラシのネックを弓成りにし、底部に弦を創り、之を弦揚子にして、創作する物であって、５、この様にして作っておくと、歯ブラシの弓柄の部分を歯で押し付けると、６、糸揚子の弦の部分は、歯と歯の間に入り込み、歯垢を取り、之を掃除してくれるものとなるものであったが、本発明品の特性は、（特に）、日本製の歯磨粉は、殺菌性に優れており、泡立つ、口の中の歯磨き中、本品を使用すると、弦揚子の糸は滑り易い為、糸は切れにくく、６、例い、之が、力余って、歯茎の中に食い込む、歯茎を捐傷しても、泡立つ殺菌性の強い、歯磨き粉が、殺菌消毒してくれるので、之が元での口内炎等も起こしづらくなる設計の元に創作されていた物であった。７、それ故、歯ブラシの、ブラシの部分は、出来るだけ小さ目に作り、８、歯ブラシの頭頂部には、「ササラ」と命名する比較的に柔い毛を付ける事を創作した場合、９、歯と歯茎の間に出来た隙間や  １０  錨歯となり、穴の開いた部分を、歯磨きと同時に掃除する事が出来る物となる他、１１、歯ブラシの尾部には、相当固めの毛ブラシを付け、「メド」と命名する、このブラシを発明し、歯磨きに用いた場合、１２、チューブ入りワサビをこの先に塗け、歯の隙間に、差し込んだ場合、相当に無理と思われる隙間にも、やがて入り込んでゆき、ワサビエキスは、体内に入ると、数時間、発熱、殺菌作用が有り、（＊注意、ワサビエキスは、歯槽濃漏、他、今回発見される、リルク菌を殺菌する効果がある物であり、之を用いて、歯磨きをした場合、悪臭を放つ、歯槽漏にも侵透してゆき、自然治癒してゆく物となるが、数時間の効力しかない為、之を、常に新しくしないで放置しておいた場合、効果を失う為、リルク（歯槽濃漏）以外の虫歯がある時、発熱が作用して、痛みを起こす場合があるから用いては、ならない物となります。）１３、歯ブラシが発明されてから、今日に至る迄、発明、発案が無かった物に、歯ブラシの背の側にも、比較的丈の短い、柔い毛ブラシを
2010279563.tif 000004
側の湿った部分にも、人の就寝中、悪玉性徴生物の取り付く場所となる所、実に、人動物等をして、鼻づまりする、口呼吸をし、口内体温を落す、本新代科学が発見する、「絶対指数温度」３６．７℃を下げ続けた際、虫歯は発生し易いものとなり、口内細菌も増える時、歯磨きの際、歯ブラシの反対側にも、毛ブラシを付けておくと、ホッペタの内側にも付着する悪玉性徴生物及び、その胞子さへ取り除ける事が出来た事を示す図となった。１４、本発明される、ワンルームベッド３を示す図であったが、かつて、コドモの頃、親に連れられて、欧州の城、宮殿内部を見学した際、それは、贅を尽くしていたが、夏は蚊に、冬は寒さに悩まされるのではないか？と思われる程、だだ広く、その一角に、王、王妃、王族が夜る使用する四角く作られた、ワンルーム、ベッドが設置され、寝室が形成されているのを見、筆者も、○○○に帰って来てから、自宅室内に、畳２丈分程の、ワンルームベットを作り、図示される、生活必需品を入れ、１５、空調設備を入れ、１６、机を入れ、日重、一日中、生活してみた所、電気、光熱費が１／３となり、夏期は、之を外の木影の下に出し、１７、防虫網カーテンを付け、この中で、一日中、仕事をしていると、自分の家は、世間体を保つだけの物となり、殆ど不要の物になっていたが、１８、海外（屋外）研究室には、やがて無くてはならない物となり、車のキャリアーに乗せられる程に迄、コンパクトにした際、１９、後に気付く所、之は、どんどん軽量素材を用いて、改良を進めてゆくと、実に、別な日本人が発明した、カプセルホテルにも似て、更に機能も充実アップし、当時勤務する病院の屋内、屋外にも置く事が出来、盲腸の外科手術をして、出産無菌室をして、隔離室（海外）に迄に至って応用出来る物になっていった。２０、所が、この中で、人動物を隔離する、（人体実験は筆者）体温を決っして、３６．５℃以下に落とさないで保持出来る様に、温度計を設定し、７日以上、之空調を確な物にしてゆくと、虫歯、蓄濃症等は軽減され、骨粗症は、治り、大概の病症は、治癒されてゆく物となった。（＊詳細は、Ｔ．４１０、ワンベッドＩ、Ｔ．６６０、ハクマ、等と同図である為、参照。）  ２１、クサヤ干物を作るタレ汁の年数物を示す瓶を表わしているが、左から、１年、２年、３年物とし、瓶エキスが古くなると、クサヤ干物の汁は良くなり、干物の味も良くなる物であり、２２、例えが悪いが、これは、肥貯め坪を表わしており、左から、一年、二年、三年物とし、昔の農業学校の授業で、肥え貯めのエキスを採って来て、臭いを嗅がせ、舐めさせ、言い当てる学生が殆どであり、２３、現在の歯科医師学科にある腕の良い医師は、患者の歯間にある歯垢を取り、指の間で磨り潰し、その歯槽漏漏が何年物であるか、臭いを嗅いだけでどの位、悪質に侵行しているものなのか、瞬時に判断してしまった。２４、いずれにしても、この中に、本文で発見され、命名されるリルク菌（並びにその胞子の）あるのを発見し、特にスルメ（日本の干物）クサヤの中に多くいた為、之を食べる者は、必ず火によく炙ってから食べなければならず、之を生の儘、食べる事があれば、必ず、虫歯の原因となり、伴すれば、胃潰瘍の原因となり、胃癌原因にさへなる、と筆者は推���した。２５、クルプ（Ｔ．１８７）を示す図であり、２６、トリ、クルプ（Ｔ．１８８）を示す図となった。２７、ビルグ（Ｔ．１８９）を表わす図であったが、２８、ビル等の屋上に設置する貯水槽であり、２９、中にヒーターを入れるか、３０、太陽光パネルで中の水を温め、３１、温度（計）センサーを用け、中の水が、４２℃以下にならない様に貯水槽を作り、３２、中に温まった温湯を水にして、使う際、３３、腸管貯水槽を作り、３４、排出湯を腸管に通して冷やし、３５、反対に、吸い上げ水は、別の腸管を通して、３６、本発明、ビルグ貯水槽に入れると、水に対して、一切の消毒液（カルキ）等は不要となり、健康に良い、オイシイ水が出来る様になった事を示す図。３７、本発明品を用いる場合、額に氷嚢を必要とする場合があった。３８、プラスチックで妻揚子型ステック（Ｔ．１７７）を作り、ステックの先にメド簓を付け、３９、反対側に釘型、耳かきを付けた図。
【図１】
2010279563.tif 000005
【図２】
2010279563.tif 000006
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
棒の先に毛ブラシを束ね、簓にし、反対側に耳掻きを付けたステック簓（Ｔ．１７７）を発明する請求。
【請求項２】
歯ブラシのネック部位を弓成りにし、底部に弦を張り、この弦を歯垢取り具に為し、歯ブラシと一体型になる、弦簓（Ｔ．１８５）を呼称する、歯垢取り具を発明する請求。
【請求項３】
歯ブラシの尻部をして、その末端部位に、目処簓（Ｔ．１７６）を呼称する、突き刺し型、歯垢取りブラシを発明する請求。
【手続補正２】
【補正対象書類名】明細書
【補正対象項目名】全文
【補正方法】変更
【補正の内容】
【発明の詳細な説明】
【技術分野】
【０００１】  本発明される、今迄に無かった歯磨、歯垢取り具が本図に見られる様に創作される時、これを用い、歯磨きした場合、歯周悪玉菌を多く保有する歯垢等をも更に除去し易くなり。【０００２】さて、発明の条件とは、新発明品の出現により、今迄にあった作品は、消滅する程の威力のある物であり、昔の日本の一般庶民は、今尚、現世に残る抹茶を掻き混ぜる、あのササラを小さくした物で塩を口に含み、歯を磨いていたものであり、西洋から現在の歯ブラシが輸入されると、ササラ歯磨は地上から消えた。【０００３】  所がこのササラにも利点があり、今発明に見る毛ブラシをササラに見たて、歯ブラシの尻部に付けた場合、（Ｔ．１７６、Ｔ．１７８）大概の歯磨き中、歯の間に突き刺して入り込ませる事が出来、人体、口内で有害となる細菌、歯垢を容易に取り除く事が出来る様になる技術力があり、妻揚子（Ｔ．１７７）にも使用してみると、昔のササラ歯磨きの効果の出る技術力があった。
【背景技術】
【０００４】  ●ハクマ（Ｔ．６６６）●キャッツ（Ｔ．４９０）
【発明の開示】
【発明が解決しようとする課題】
【０００５】  コドモの頃から甘い物を好まぬ反面、煮干が好きで、ポケットの中にいつもこれを入れ、時折り、ポロポリ齧って遊んでいた事が思い出され、頭は猫にやっていた。【０００６】  そのせいか、筆者の歯は真珠色に輝き、一本の虫歯も無い事が自慢であったが、思う所あって、日本の真言密教（仏教）に憧れ、本を読み、悟り得ようと思い、粗食空手に勤しみ、禅を行う時期があり、自給自足を心がけ、山に籠もり）一日３００円の生活をしだし、本を多く読み、論文を書いていた。―高価な煮干は、遂に買えなくなった。
極貧生活は、全ったく気にならなくなっていたが、筆者は、大概の人々にヒッピーに見られ始めていた。―たまたまそんなある日、茹で卵とメザシをもらいそれを喰った時のあまりのウマさに驚き、貧り付いた。禅修業の厳しさが分った。【０００８】  筆者にとって、論文を書きながら禅修業出来るものではない事を悟ったのは、脳が多くの栄養分を欲求している事を知り、空腹に作用されてはいけない事が分った。【０００９】  弾修業と論文書きは、両立しない事が分ったのは、筆者の歯が四本、苦痛もなく意図も簡単に折れてしまっていた事に由以し、――何故だろうと更に考えた時、課題が与えられた。
【発明を解決する手段】
【００１０】  日本国民人口の大体６割が何んらかの歯（歯茎）の病気にかかっていた。歯科、耳鼻医科学、人類学等見地から考えていた。
【００１１】  コドモの頃、春先雪の上に中国から飛来する黄砂パウダーで、これが黄色になっているのを見た事があった。そして、日本の○○博士が発見した、杉花粉をして、この期節、人動物の恒設体温が、上下に激しく変動する際、敏感な鼻（解賠学）では、両鼻腔づつ交互に呼吸する体温を高くして、抗体液を多く含む鼻水、粘液等で黄砂、埃花粉、細菌等が体内に入らない様に努力する時、夏秋にも同じ事が言へ、耳汁を出す者もあって、須く、埃のひどい時口呼吸し、蓄濃症者も比例して、その地方、地方には多かった。然るに（Ｔ．６６６、ハクマ参照）
【００１２】  歯痛（苦痛）もなく、いつの間にか、歯が折れて無くなっている、「歯折れ症」現象が、歯科医学会が知らぬ内に人類の間に増えている原因を細菌、徴生物（学）に求め続ける、現代医学が、口内雑菌を歯周病菌として片付け、この徴生物を発見出来ないでいる際、筆者等研究班は、これを発見し、「リルク」と命名し、特定する者は、○○○菌であり、この菌の特性は、強酸（胃酸）に強く
【００１３】根元を辿った先に、日本の海産物、干物（スルメ）等の中にも居、虚弱体質者の胃にも滞留し易く、これが人動物の消化器において之に傷を付け、酸性毒素を吐き続けた場合、癌症さへ発生し易い物になった。という報告があった。（Ｔ４９０、キャッツ参照）火でよくあぶれば、モンダイはなかった。
【発明の効果】
【００１４】  筆者の身長は学生時代には、１７５ｃｍあったのに現在１７３ｃｍになり、縮んでいた。「そんなバカな！」と思ってみても縮んでいるものは縮んでいた  ――修学時代に仏教、禅修業に狂ったのが良くなかった。（弾修業が悪い訳では無かった。）シャカ、ムニ仏教は、ヨガ修業者であった。と、聞いていた。
【図面の簡単な説明】
【００１５】歯ブラシを弓成りにし、そこ部に、歯垢取り弦を張る（Ｔ．１８５）他、歯ブラシの尾部（Ｔ．１７６）や耳掻きスティックの尻部にメドササラ（Ｔ．１７６）を創作し、歯ブラシの頭頂部にメドササラブラシ（Ｔ．１７８）をして、人体に為している図等が示されている。
【発明を実施する為の最良の形態】
【００１６】歯ブラシ本体は、小さ目が理想で、歯ブラシのネックは、弓成りにして作り、そこ部には、歯垢取りの弦を張り、主に歯ブラシの尻部には、メドササラ、ブラシと名付けられる歯ブラシを作る事を理想とする。
【実施例】
【００１７】現代人は、固い物を噛まなくなった由以説により、歯並びが悪く、歯に物がつまり易く、歯の掃除ブラッシングがしずらかった時、
【産業上利用の可能性】
【００１８】本発明品は、隔々にまで至る物となった。事をメーカー、産業界が理解した時、利用の可能性は、極めて高い物となった。
【符号の説明】
【００１９】１．本発明、歯ブラシ全体図を示しており、２．ネックの部分には、放物線形状に作り、３．放物線形状のブラシの低部に糸を付け、弦、揚子を形成している事を示した図であったが、（＊注意：そもそも、この「弦揚子」の発送、発明は、筆者が考案した物（Ｔ．１１０）であったが、日本国、自民党（各党）が為し、犯罪組織化した、司法、最高裁犯罪機関が連動し、国民一億人の各家庭、事務所に盗聴、盗撮器を仕掛け、その内情を密かに覗き見をする事をマスコミ（宣伝部）と更に共謀し、共提を不当に提携し、善良なる日本国民を騙す目的を以って、国是と成し、強制実行する中で、筆者の之等の発明、発案品は、マスコミ内外に不当に盗まれて、４．市場に類似品として、多く出回っている物になっていたが、未熟であり、（揚子は使用していると簓になっていく事を知らず）それ故、筆者が真に主張する本文内容と図等は未だ盗難に遭っていない筈の為、現在市場に出ているものは、本公開物件とは、全っく別形態で製作され続ける物ばかりであったので便利に欠け、使いづらい物ばかりとなる為、すぐにＹバリュー化（低価格でないと売れない物、内需拡大政策ですぐにゴミになる物）し、人々に相手にされない物となった。（Ｔ．１７０。Ｔ５４０参照）しかし併、筆者の考えていた本図に見られる物は、歯ブラシのネックを弓成りにし、底部に弦を張り、之を弦揚子にして、創作する物であって、５．この様にして作っておくと、歯ブラシの弓柄の部分を歯で押し付けると、６．弦揚子の弦の部分は、歯と歯の間に入り込み、歯垢を取り、之を掃除してくれるものとなるものであったが、本発明品の特性は、（特に）日本製の歯磨粉は、殺菌性に優れており、泡立つ、口の中の歯磨き中、本品を使用すると、弦楊子の糸は滑り易い為、糸は切れにくく、７．例い、之が、力余って、歯茎の中に食い込む歯茎を捐傷しても、泡立つ殺菌性の強い歯磨き粉が殺菌消毒してくれるので、之が元での口内炎も起こしづらくなる設計の元に創作されていた物であった。８．歯ブラシの頭頂部には、「ササラ」と命名する比較的に柔い毛を付ける事を創作した場合  ９．歯と歯茎の間に出来た隙間や、１０  錨歯となり、穴のあいた部分を歯磨きと同時に掃除する事が出来る物となる他  １１．歯間ブラシの尾部には、相当固めの毛ブラシを付け、「メド、ササラ（Ｔ．１７６）」と命名するこのブラシを発明し、１２  メドササラを用いて、ワサビエキスを歯槽濃漏の歯間部に塗布し、自体実験をしている図。１３．スティック・ササラの総体図であるが、スティック棒の先端にササラ、ブラシを付け、ステック棒の  １４．反対側には耳掻きをつけた事を示している。１５．スルメ等を表わす  １６．クサヤ干物を作るタレ汁入れツボと年数物左りから１年、２年、３年物とし、瓶エキスは古くなると、クサヤ干物の汁は良くなり、干物の味も良くなる物であり、１７．例えが悪いが、これは、肥貯め坪を表わしており、左から一年、二年、三年物とし、昔の農業学校の授業で、肥え貯めのエキスを採って来て臭いを嗅がせ、舐めさせ、言い当てる学生が殆どであり、１８．現代の歯科医師学科にある腕の良い医師は、患者の歯間にある歯垢を取り、指の間で、すり潰し、その歯槽濃漏が何年物であるか、臭いを嗅いだだけでどの位、悪質に侵行しているものか瞬時に判断していた。
【手続補正３】
【補正対象書類名】図面
【補正対象項目名】全図
【補正方法】変更
【補正の内容】
【図１】
2010279563.tif 000007